(57)【要約】【課題】ゲート跡が装飾的に美観を損なうことなく、また余計な部品を使用してゲート跡を隠す必要のない筆記具または塗布具の部品、及びそれを用いた筆記具または塗布具を提供する。【解決手段】射出成形型により成形される筆記具または塗布具の部品であって、該筆記具または塗布具の部品の外装本体に対向する面を有する装飾的な突部を設け、該突部の該外装本体に対向する面にゲート跡を形成する。また、この筆記具または塗布具の部品を用い、筆記具または塗布具を構成する。【選択図】      図２
2004351729.tif 000002
【特許請求の範囲】
【請求項１】
射出成形型により成形される筆記具または塗布具の部品であって、該筆記具または塗布具の部品の外装本体に対向する面を有する装飾的な突部を設け、該突部の該外装本体に対向する面にゲート跡を形成したことを特徴とする筆記具または塗布具の部品。
【請求項２】
前記筆記具または塗布具の部品は、色の異なる樹脂同士または種類の異なる樹脂同士を射出成形型で２色成形される筆記具または塗布具の部品であることを特徴とする請求項１に記載の筆記具または塗布具の部品。
【請求項３】
前記筆記具または塗布具の部品は、筆記具または塗布具のキャップであり且つ前記装飾的な突部は、キャップ本体の外周面上に設けたクリップ部材の先端突部であることを特徴とする請求項１または２に記載の筆記具または塗布具の部品。
【請求項４】
前記クリップ部材は、前記キャップ本体の外周面と変曲点のない面を形成した把持部を備えてなることを特徴とする請求項３に記載の筆記具または塗布具の部品。
【請求項５】
前記ゲート跡は、前記クリップ部材の先端突部と把持部とを結合する連結部から離間させた位置にあることを特徴とする請求項１ないし４の何れか１項に記載の筆記具または塗布具の部品。
【請求項６】
前記筆記具または塗布具の部品を用い、筆記具または塗布具を構成したことを特徴とする請求項１ないし５の何れか１項に記載の筆記具または塗布具の部品。
【発明の詳細な説明】
【０００１】
【発明の属する技術分野】
本発明は、射出成形金型で成形される合成樹脂製の筆記具または塗布具の部品からなる筆記具または塗布具に関する。詳しくは、万年筆、水性ボールペン、油性ボールペン、マーカーペン、シャープペンシル等、又は修正具、化粧具等の筆記具または塗布具の部品に係るものであり、主として合成樹脂製のキャップに関するものである。中でも特にクリップの取付けが、弾発的に持ち上げられる形式のキャップに関するものである。
【０００２】
【従来の技術】
従来から、筆記具または塗布具の部品である合成樹脂製のキャップは、重量も軽く樹脂材のもつ材質感と、樹脂の材料により色々な製品を製作することが可能である。このため、合成樹脂製のキャップは様々な筆記具や塗布具に使用されている。樹脂材としては、アクリル樹脂、ＡＢＳ樹脂、ＡＳ樹脂、ＰＣ樹脂、またはＰＥＴ樹脂等が主として使用される。
【０００３】
近年、デザインの多様性から色の異なる硬質の樹脂材を使用したカラフルな、或いは複雑な形状のキャップが要求されている。また、硬質の樹脂材をベースに、軟質のエラストマーで、熱溶着させた筆記具または塗布具の部品をつくることも行われ、特に筆記具用部品として軸筒とグリップ部を２色成形したものが市場に販売されている。
【０００４】
しかしながら、射出成形は、成形品に必ずゲート跡が残るという問題を抱えている。通常、単型によるクリップを備えたキャップの成形では、成形性や、ゲートカット容易性を考慮してキャップの先端にゲート跡を形成してある。この場合だとゲート跡は残るものの全体としてのキャップの外観形状では目立たなくなっている。
【０００５】
また、２色成形型によるクリップを備えたキャップの成形では、色の異なる硬質の樹脂材を使用しての２色成形や、硬質の樹脂材と軟質の樹脂材を使用しての２色成形は２次成形する部分のゲート跡がどうしても表面に出てしまい、美観を損なう要素の一因となっていた。従って、製品の美観を損なわないように色々と工夫が行われている。例えば、特開２００２−６７５６７号公報「グリップ付き軸筒及びその軸筒の成形方法」に記載のように、軸筒本体の外周に２色成形によってグリップ部が設けられたグリップ付き軸筒において、グリップ部の端面にゲート跡を形成することにより、グリップ部の外周面に凸状又は凹状のゲート跡を露出させない２色成形部品の技術が開示されている。
【０００６】
【特許文献１】
「特開２００２−６７５６７号公報」
【０００７】
【発明が解決しようとする課題】
しかしながら、前者の単型によるクリップを備えたキャップの成形は、確かにキャップを側面から見た時は、目立たないが、デザイン的な制約を受けている。ゲート跡隠しは、キャップ先端に凹み部を設け、該凹み部にゲート跡を形成させている。言うなれば、必ずゲート位置は、平面を設けなければならず、デザイン上では、制約を受けざるを得ないものとなっている。
【０００８】
後者の２色成形型のものは、２色成形における第二行程となる２次成形時にグリップ部の端面にゲート跡を形成しているため、確かに通常のようなグリップの表面に形成されたゲート跡よりは美観は損なわないものの、基本的にはゲート跡が残ってしまい見栄えが悪いものである。このためゲート跡を目立たなくする方策としては、グリップが形成された軸筒の後端側に、接続部材が螺合接続されるよう形成させ、接続部材の端面をグリップのゲート跡に当接してゲート跡を隠すようにしている。このような方策の場合には、確かにゲート跡を隠すことはできるが、接続部材による螺合接続ということで形状が複雑になりデザイン上で形状に制約が出てしまう。また、部品点数も増えるためコストアップは避けられないという問題を抱えている。
【０００９】
本発明は、こうした問題に鑑み本発明者が成形技術を利用した筆記具または塗布具の部品について検討した結果、ゲート跡が装飾的に美観を損なうことなく、また余計な部材を使用してゲート跡を隠す必要のない筆記具または塗布具の部品、及びそれを用いた筆記具または塗布具を提供することを目的とする。また、本発明は、外観上の制約がないため、新規性のある斬新なデザインであっても対応できるものである。
【００１０】
【課題を解決するための手段】
本発明による課題解決手段は、
「１．射出成形型により成形される筆記具または塗布具の部品であって、該筆記具または塗布具の部品の外装本体に対向する面を有する装飾的な突部を設け、該突部の該外装本体に対向する面にゲート跡を形成した、筆記具または塗布具の部品。
２．前記筆記具または塗布具の部品は、色の異なる樹脂同士または種類の異なる樹脂同士を射出成形型で２色成形される筆記具または塗布具の部品である、１項に記載の筆記具または塗布具の部品。
３．前記筆記具または塗布具の部品は、筆記具または塗布具のキャップであり且つ前記装飾的な突部は、キャップ本体の外周面上に設けたクリップ部材の先端突部である、１項または２項に記載の筆記具または塗布具の部品。
４．前記クリップ部材は、前記キャップ本体の外周面と変曲点のない面を形成した把持部を備えてなる、３項に記載された筆記具または塗布具の部品。
５．前記ゲート跡は、前記グリップ部材の先端突部と把持部とを結合する連結部から離間させた位置にある、１項ないし４項の何れか１項に記載された筆記具または塗布具の部品。
６．前記筆記具または塗布具の部品を用い、筆記具または塗布具を構成した、１項ないし５項の何れか１項に記載の筆記具または塗布具。」に関する。
【００１１】
樹脂成形では、成形条件よる形状や意匠上のデザイン等から、ゲートについては色々と検討されている。一般的にゲートの近傍と遠方とでは、成形圧力に差がでるので、成形品の樹脂密度、流動性等に影響がでてくる。また、固化する冷却時間差によるヒケの影響や、ゲートから流れ出た樹脂が分かれて合流するウェルドのヒケの影響も出てくる。このため、射出金型の構造上では、ゲートの位置を検討したり、ゲート数を増やしたりして極力悪影響が出ないよう工夫を行っている。
【００１２】
筆記具または塗布具は、昨今デザインが重要視されており、特に部品となるキャップについては他社品と差別化するため独特なものが市場にでている。その中で特に、２色成形技術を使用したキャップは、斬新なデザインのものがある。本発明は、１色成形はもとより２色成形技術を使用したキャップにおいて、クリップの形状をデザイン的に鑑み、外装本体であるキャップ本体に対向する面を有する装飾的な突部を設けることによってゲート位置を特定し、且つ該キャップ本体に対向する面にゲート跡を形成することによってゲート跡を目立たなくすることができるものである。また、成形性も向上するため、クリップのような細長い形状でもヒケのない成形品を得ることが出来る。更に、２次成形の場合でも金型構造が複雑にならず簡単にすることができ、高品質で製造コストを安価にすることが可能となる。尚、本発明における外装本体に対向する面の形状は、平面状、曲面状のものに限らず直線的な稜線状のものであっても構わない。
【００１３】
【発明の実施の形態】
本発明の実施の形態について図面を用いて説明するが、本発明はこれらに限定されるものではない。但し、同じ部材、同じ箇所を示すものは同じ符号を付す。
【００１４】
以下、本発明に係る筆記具または塗布具の部品として、２色成形による筆記具としてボールペンのキャップを例にとり図１乃至３に基づいて説明する。
図１は、本発明の実施の形態におけるキャップ部品の外観斜視図を示してある。図２は、本実施の形態におけるキャップ部品の正面図を示してある。図３は、図２のキャップ部品におけるクリップ部材を中心として軸方向に切断した概略図を示してある。図４は、従来技術における２色成形によるキャップ部品の外観斜視図を示してある。
【００１５】
図１に示すように筆記具の部品であるキャップ部品１は、キャップ本体２０とクリップ部材３０とで構成してある。尚、キャップ本体２０は透明なＰＣ樹脂で成形しており、クリップ部材３０は不透明な黒色ＰＣ樹脂で成形してある。
【００１６】
図２及び図３に示すように、キャップ本体２０は表面２０ａが軸方向へ渡る曲率を有しており、軸方向と直角に切断する断面を円形状とした先端から後方に開口部２０ｂを有した砲弾形状である。また、クリップ部材３０は、キャップ本体２０の頂部２０ｄ近傍の表面２０ａと外径形状に変曲点のない把持部５０を設けて連結部４０を介してクリップ本体と繋がっていて、クリップ部材３０の後方の裏側には抜け防止用の玉部６０を備える。クリップ部材３０は、全体に装飾的なデザインが施されおり、特にキャップ本体２０の頂部２０ｄ側には先が尖った斬新な形状のキャップ本体２０に対向する面３０ａを有する突部３０ｂを形成してある。該突部３０ｂのキャップ本体２０に対向する面３０ａには連結部４０から離間させた位置にゲート跡７０が形成してある。
【００１７】
尚、図示はしないが、本発明の実施の形態におけるボールペンは、キャップ部品１以外の部品として、ボールペンチップを備えたインキ収容筒を組み込んだ軸筒部品があり、該軸筒部品にキャップ部品１を着脱自在に装着できるようにしてある。尚、軸筒部品の外部形状や内部構造については、本発明の要旨外であるので詳述は省略する。
【００１８】
次に、本発明の実施の形態における、射出成形工程を説明する。この２色成形は、従来行われているように２つの単金型で同じコアの型と異なる形状のキャビティー型でコア側を廻転移動し成形する。
【００１９】
２色成形金型により、第一工程として、金型内で溶融した透明なＰＣ樹脂は、スプルー、ランナー、ゲートの順に流れ、第一キャビティー内へ流入してキャップ本体２０を形成する。尚、キャップ本体２０には、クリップ部材３０に形成される把持部５０の外形と同形状の凹み部（図示せず）を形成する。次に第二工程として、コア側としてキャップ本体２０をクリップ部材３０を形作る第二キャビティー内へ挿入し、不透明な黒色ＰＣ樹脂を溶融させクリップ部材３０を２次成形する。この時、クリップ部材３０の把持部５０は、キャップ本体２０の該凹み部に樹脂が流れてキャップ本体の外周面と変曲点のない流線形の面を形成する。当然のことながら第一次のゲート跡（図示せず）は、２次成形により埋まるように設計してある。これで、キャップ部品１は、キャップ本体２０とクリップ部材３０が一体となったの完成品を得るが、この時、ゲート跡７０はクリップ３０の先端突部３０ｂのキャップ本体２０に対向する面３０ａに形成されるので、キャップ１の外観としては、目立たなく美観を損なうものではなく、また位置的にも射出成形の条件としては的確な場所となり、ヒケ、歪み等の問題の発生もない。
【００２０】
図４は従来技術における２色成形のキャップ部品１の外観斜視図を示すものである。図に示すようにキャップ部品１は、透明なＰＣ樹脂製のキャップ本体２１と不透明なＰＣ赤色樹脂のクリップ部材３１で２色成形により形成されてある。クリップ部材３１は、キャップ本体２１の頂部２１ｄ近傍の連結部４１を介して把持部５１からキャップ本体２１へと繋がっている。また、クリップ部材３１の反対側の把持部５１にゲート跡７１が形成してある。
【００２１】
このような従来技術のキャップ部品１は、ゲート跡７１が把持部５１の表面にあるので、見た目にも悪く、装飾的な美観が損なわれるものとなっている。また、何気なく指で触ってしまうような位置にあるため、ゲート跡７１が凹凸した形状のため触れた場合に触感が悪いものである。
【００２２】
尚、前述した実施の形態では便宜上、ボールペンのキャップ部品を例示しているが、その他の筆記具のシャープペンシルやマーカー等、または塗布具として修正ペンや化粧品等のキャップ部品であっても種類に関係なく使用することができる。
【００２３】
【発明の効果】
本発明の筆記具または塗布具の部品は前述したような構造なので、ゲート跡が装飾的に美観を損なうことなく、また余計な部品を使用してゲート跡を隠す必要のない筆記具または塗布具の部品、及びそれを用いた筆記具または塗布具を提供できる。
【００２４】
また、デザイン上で制約されることがない良好な外観デザインを得ることが可能であり、余計な部品を必要としないので簡単な構造で済み、製造コストを低くさせた安価なものにできる。
【図面の簡単な説明】
【図１】本発明の実施の形態における、キャップ部品の外観斜視図を示す。
【図２】本発明の実施の形態における、キャップ部品の側面図を示す。
【図３】図２のキャップ部品における、クリップを中心として軸方向に切断した概略図を示す。
【図４】従来技術における、２色成形によるキャップ部品の外観斜視図を示す。
【符号の説名】
１      キャップ部品
２０、２１    キャップ本体
２０ａ、２１ａ  表面
２０ｂ  開口部
２０ｄ、２１ｄ  頂部
３０、３１  クリップ部材
３０ａ  本体に対向する面
３０ｂ  先端突部
４０、４１    連結部
５０、５１    把持部
６０    玉部
７０、７１    ゲート跡
【図１】
2004351729.tif 000003
【図２】
2004351729.tif 000004
【図３】
2004351729.tif 000005
【図４】
2004351729.tif 000006